(57)【要約】【課題】燃焼室からの熱が調理者側に拡散するのを抑制するのは勿論のこと、燃焼によって生じた熱エネルギーを有効に使用することができる加熱調理設備の提供。【解決手段】調理容器１と、調理容器１の外側を覆う外側調理体２と、外側調理体２と調理容器１との間に位置する中間調理体３とを備え、燃料ガスと燃焼用空気Ａとの混合ガスを燃焼させる燃焼室５が、調理容器１と中間調理体３との間に形成され、排気用筒体６が、燃焼室５に接続され、中間調理体３を空冷する冷却用空気通路７が、中間調理体３と外側調理体２との間に設けられた加熱調理設備で、燃焼用空気Ａが通流する燃焼用空気通路１２が、仕切り板１４によって中間調理体３の外側に隣接する内側空気通路１２ｂと冷却用空気通路７の内側に隣接する外側空気通路１２ａとに仕切られ、燃焼用空気Ａが、外側空気通路１２ａを通流した後、内側空気通路１２ｂを通流して燃焼室５に流入する。【選択図】図１
2015175547.tif 000002
【特許請求の範囲】
【請求項１】
調理物を収容する調理容器と、当該調理容器の外側を覆って当該調理容器を支持する外側調理体と、当該外側調理体と前記調理容器との間に位置して当該調理容器の外側を覆う中間調理体とを備え、燃料ガスと燃焼用空気との混合ガスを燃焼させる燃焼室が、前記調理容器と中間調理体との間に形成され、当該燃焼室内の燃焼排ガスを排気する排気用筒体が、前記燃焼室に接続され、前記中間調理体を空冷するための冷却用空気通路が、当該中間調理体と前記外側調理体との間に設けられている加熱調理設備であって、
前記燃焼用空気が通流する燃焼用空気通路が、前記中間調理体の外側に隣接する状態で、かつ、仕切り板によって前記中間調理体の外側に隣接する内側空気通路と前記冷却用空気通路の内側に隣接する外側空気通路とに仕切られた状態で設けられ、前記燃焼用空気が、前記外側空気通路を通流した後、前記内側空気通路を通流して前記燃焼室に流入する加熱調理設備。
【請求項２】
前記外側空気通路への燃焼用空気の流入口が、前記調理容器の中心線上に位置して設けられ、前記内側空気通路から前記燃焼室に流入する燃焼用空気の流出口が、前記調理容器の中心線上に位置して設けられるとともに、前記外側空気通路と内側空気通路が、それら空気通路の最上端部で連通されている請求項１に記載の加熱調理設備。
【請求項３】
前記調理容器が、その底部の外側に複数の受熱用フィンを備えている請求項１または２に記載の加熱調理設備。
【請求項４】
前記冷却用空気通路が、前記燃焼用空気通路の外側を覆う状態で設けられ、当該冷却用空気通路を通流した冷却用空気を排気する空気排気通路が、前記排気用筒体の外周部を覆う状態で当該排気用筒体に沿って設けられている請求項１〜３のいずれか１項に記載の加熱調理設備。
【発明の詳細な説明】
【技術分野】
【０００１】
本発明は、調理物を収容する調理容器と、当該調理容器の外側を覆って当該調理容器を支持する外側調理体と、当該外側調理体と前記調理容器との間に位置して当該調理容器の外側を覆う中間調理体とを備え、燃料ガスと燃焼用空気との混合ガスを燃焼させる燃焼室が、前記調理容器と中間調理体との間に形成され、当該燃焼室内の燃焼排ガスを排気する排気用筒体が、前記燃焼室に接続され、前記中間調理体を空冷するための冷却用空気通路が、当該中間調理体と前記外側調理体との間に設けられている加熱調理設備に関する。
【背景技術】
【０００２】
近年、特に業務用の厨房において、厨房室（調理室）内の環境をより涼しく快適にしたいとの要望が強く、本出願人においても、そのホームページに「涼厨」（登録商標第５０５１５１０号）と称する厨房機器、つまり、調理容器を加熱するための燃焼室の外側に冷却用空気通路を設けて、燃焼室からの熱が厨房室の調理者側に拡散し難いように構成した加熱調理設備を掲載している（例えば、非特許文献１参照）。
【０００３】
そこに掲載の加熱調理設備は、図４に示すように、調理物を収容する調理容器としての内鍋１と、内鍋１の外側を覆って内鍋１を支持する外側調理体としての外鍋２と、外鍋２と内鍋１との間に位置して内鍋１の外側を覆う中間調理体としての中鍋３とを備え、燃料ガスと燃焼用空気との混合ガスを燃焼させる燃焼室５が、内鍋１と中鍋３との間に形成され、燃焼室５内の燃焼排ガスを排気する排気用筒体６が、燃焼室５に接続され、中鍋３を空冷するための冷却用空気通路７が、中鍋３と外鍋２との間に設けられた構成である。
この加熱調理設備によれば、冷却用空気Ｂが、外鍋２の底部に設けられた吸気口８から吸気され、冷却用空気通路７を通流した後、排気用筒体６に沿って空気排気通路９を通流し、その間に中鍋３や排気用筒体６を冷却して、燃焼室５からの熱が調理者側に拡散するのを抑制している。
【先行技術文献】
【非特許文献】
【０００４】
【非特許文献１】ｈｔｔｐ：／／ｅｎｅ．ｏｓａｋａｇａｓ．ｃｏ．ｊｐ／ｐｒｏｄｕｃｔ／ｋｉｔｃｈｅｎ／ｐｏｉｎｔ／ｃｏｏｌ．ｈｔｍｌ
【発明の概要】
【発明が解決しようとする課題】
【０００５】
しかしながら、図４に示した従来技術では、中鍋３や排気用筒体６を冷却し、それによって高温となった冷却用空気Ｂをそのまま設備外へ排気する構成、言い換えると、燃焼により生じた熱の一部を冷却用空気Ｂと一緒にそのまま設備外へ排出してしまう構成であるため、エネルギーを有効に使用しているとは言い難く、この点に改良の余地があった。
【０００６】
本発明は、このような従来の問題点に着目したもので、その目的は、燃焼室からの熱が調理者側に拡散するのを抑制するのは勿論のこと、燃焼によって生じた熱エネルギーを有効に使用することができる加熱調理設備の提供にある。
【課題を解決するための手段】
【０００７】
上記目的を達成するための本発明による加熱調理設備は、調理物を収容する調理容器と、当該調理容器の外側を覆って当該調理容器を支持する外側調理体と、当該外側調理体と前記調理容器との間に位置して当該調理容器の外側を覆う中間調理体とを備え、燃料ガスと燃焼用空気との混合ガスを燃焼させる燃焼室が、前記調理容器と中間調理体との間に形成され、当該燃焼室内の燃焼排ガスを排気する排気用筒体が、前記燃焼室に接続され、前記中間調理体を空冷するための冷却用空気通路が、当該中間調理体と前記外側調理体との間に設けられている加熱調理設備であって、
その特徴構成は、前記燃焼用空気が通流する燃焼用空気通路が、前記中間調理体の外側に隣接する状態で、かつ、仕切り板によって前記中間調理体の外側に隣接する内側空気通路と前記冷却用空気通路の内側に隣接する外側空気通路とに仕切られた状態で設けられ、前記燃焼用空気が、前記外側空気通路を通流した後、前記内側空気通路を通流して前記燃焼室に流入する点にある。
【０００８】
上記特徴構成によれば、燃焼用空気が通流する燃焼用空気通路が、中間調理体の外側に隣接する状態で設けられているので、燃焼室における混合ガスの燃焼により生じた熱のうち、中間調理体を介して調理室（調理者）側へ拡散しようとする熱は、主として燃焼用空気通路を通流する燃焼用空気に伝熱される。
その燃焼用空気が通流する燃焼用空気通路は、仕切り板によって中間調理体の外側に隣接する内側空気通路と冷却用空気通路の内側に隣接する外側空気通路とに仕切られた状態で設けられ、燃焼用空気が、外側空気通路を通流した後、内側空気通路を通流するので、燃焼用空気は、時間の経過に伴って徐々に効率よく加熱（予熱）される。
そして、その後、燃焼室に流入して燃料ガスと一緒に燃焼されるので、上述した従来技術において設備外へ排出されていた熱エネルギーを燃焼用空気の予熱のために有効に利用して、燃焼効率の向上を図ることが可能となる。
更に、その燃焼用空気通路の外側に、中間調理体を空冷するための冷却用空気通路が位置することになるので、調理室側への熱の拡散は、より一層確実に抑制される。
【０００９】
本発明による加熱調理設備の更なる特徴構成は、前記外側空気通路への燃焼用空気の流入口が、前記調理容器の中心線上に位置して設けられ、前記内側空気通路から前記燃焼室に流入する燃焼用空気の流出口が、前記調理容器の中心線上に位置して設けられるとともに、前記外側空気通路と内側空気通路が、それら空気通路の最上端部で連通されている点にある。
【００１０】
上記特徴構成によれば、燃焼用空気は、調理容器の中心線上に位置する流入口から外側空気通路に流入し、当該外側空気通路に沿って通流した後、外側空気通路の最上端部から内側空気通路に流入し、当該内側空気通路に沿って通流した後、調理容器の中心線上に位置する流出口から燃焼室へと流入することになる。
すなわち、燃焼用空気は、外側空気通路および内側空気通路のほぼ全長にわたって通流することになるので、中間調理体からの熱を無駄なく効率よく回収して、燃焼用空気の予熱に供することができる。
【００１１】
本発明による加熱調理設備の更なる特徴構成は、前記調理容器が、その底部の外側に複数の受熱用フィンを備えている点にある。
【００１２】
上記特徴構成によれば、調理容器の底部外側の複数の受熱フィンが、燃焼室における混合ガスの燃焼により生じた熱を効率よく回収して調理容器側へ伝熱するので、調理容器に収容された調理物を良好に調理することができるとともに、調理室（調理者）側への熱の拡散抑制にも寄与することになる。
【００１３】
本発明による加熱調理設備の更なる特徴構成は、前記冷却用空気通路が、前記燃焼用空気通路の外側を覆う状態で設けられ、当該冷却用空気通路を通流した冷却用空気を排気する空気排気通路が、前記排気用筒体の外周部を覆う状態で当該排気用筒体に沿って設けられている点にある。
【００１４】
上記特徴構成によれば、中間調理体を空冷するための冷却用空気通路が、燃焼用空気通路の外側を覆う状態で設けられているので、燃焼用空気を介して調理室側へ拡散しようとする熱の拡散も確実に抑制することができる。
そして、冷却用空気通路を通流した冷却用空気を排気する空気排気通路が、排気用筒体の外周部を覆う状態で当該排気用筒体に沿って設けられているので、空気排気通路を通流する冷却用空気が、排気用筒体内を通流する燃焼排ガスからの熱の拡散をも抑制することになる。
【図面の簡単な説明】
【００１５】
【図１】本発明の加熱調理設備の概略構成を示す縦断正面図
【図２】本発明の加熱調理設備の要部を示す縦断正面図
【図３】本発明の別実施形態による加熱調理設備の要部を示す縦断正面図
【図４】従来技術の加熱調理設備の概略構成を示す縦断正面図
【発明を実施するための形態】
【００１６】
本発明による加熱調理設備の実施形態を図面に基づいて説明する。なお、図４の従来技術で説明した構成と同じ構成については、同じ符号を付して説明する。
本発明の加熱調理設備は、図１に示すように、例えば、業務用のフライヤーやゆで麺容器などのような調理物を収容する調理容器としての内鍋１と、内鍋１の外側、つまり、内鍋１の外周部および底部を覆って内鍋１を支持する外側調理体としての外鍋２と、外鍋２と内鍋１との間に位置して内鍋１の外側、つまり、内鍋１の外周部および底部を覆う中間調理体としての中鍋３とを備えている。
すなわち、内鍋１の外周部および底部を中鍋３が覆い、その中鍋３の外周部および底部を外鍋２が覆うように構成され、内鍋１の中心線Ｌ上に中鍋３と外鍋２の中心が位置するように配置され、内鍋１が、中鍋３を介して外鍋２に支持されている。
【００１７】
中鍋３の内側底部には、都市ガスやプロパンガスなどを燃料ガスとするガスバーナ４が、内鍋１の中心線Ｌ上に位置するように配設され、内鍋１と中鍋３との間の空間が、燃料ガスと燃焼用空気Ａとの混合ガスを燃焼させる燃焼室５に形成され、内鍋１の底部と外周部から内鍋１内の調理物を加熱するように構成され、内鍋１の底部の外側には、複数の受熱用フィン１ａが設けられ、内鍋１の上方開口部を開閉する蓋１ｂも備えられている。
中鍋３の側部には、燃焼室５内の燃焼排ガスを排気する排気用筒体６が、燃焼室５に接続するように連設され、その排気用筒体６が、外鍋２の側部を貫通して設備外へ延出されている。
【００１８】
中鍋３と外鍋２との間の空間は、中鍋３を空冷するための冷却用空気Ｂが通流する冷却用空気通路７に形成され、外鍋２の底部には、冷却用空気Ｂを吸気するための吸気口８が設けられ、外鍋２の側部には、冷却用空気Ｂを排気するための空気排気通路９を形成する冷却用筒体１０が連設されている。
冷却用筒体１０は、排気用筒体６と同心状で、かつ、排気用筒体６の外周部を覆う状態で排気用筒体６に沿って設けられ、例えば、図外のファンなどによって、吸気口８から吸気された冷却用空気Ｂが、冷却用空気通路７を通流した後、排気用筒体６に沿って空気排気通路９を通流して設備外へ排気されるように構成されている。
【００１９】
中鍋３と外鍋２との間には、燃焼用空気Ａをガスバーナ４に供給するための空気供給用ファン１１が配設され、空気供給用ファン１１とガスバーナ４とが、図２にも示すように、中鍋３の外側に隣接して設けられる燃焼用空気通路１２により連通接続されている。
すなわち、通路形成用板体１３が、中鍋３の底部および外周部に沿って所定の間隔を置いて配設され、その通路形成用板体１３と中鍋３との間の空間が、燃焼用空気通路１２に形成されている。
更に、その燃焼用空気通路１２は、仕切り板１４によって、中鍋３の外側に隣接する内側空気通路１２ｂと冷却用空気通路７の内側に隣接する外側空気通路１２ａとに仕切られ、外側空気通路１２ａと内側空気通路１２ｂが、それら空気通路１２ａ、１２ｂの最上端部に設けられた円環状の連通孔１２ｃにより連通されている。
なお、空気供給用ファン１１の配設箇所は、特に中鍋３と外鍋２との間に限るものではなく、外鍋２の外側に配設することもできる。
【００２０】
空気供給用ファン１１の吐出口は、図２に示すように、外側空気通路１２ａへの燃焼用空気Ａの流入口１５に連通接続され、内側空気通路１２ｂから燃焼室５内に位置するガスバーナ４に流入する燃焼用空気Ａの流出口１６と上述した流入口１５が、いずれも内鍋１の中心線Ｌ上に位置するように設けられている。
すなわち、流入口１５から外側空気通路１２ａに流入した燃焼用空気Ａは、外側空気通路１２ａを通流した後、円環状の連通孔１２ｃから内側空気通路１２ｂに流入し、内側空気通路１２ｂを通流して、流出口１６からガスバーナ４に供給され、図外のガス供給管から供給される燃料ガスに混合されて燃料ガスの燃焼に供される。
【００２１】
このような構成の加熱調理設備によれば、空気供給用ファン１１からの燃焼用空気Ａは、内鍋１の中心線Ｌ上に位置する流入口１５から燃焼用空気通路１２の外側空気通路１２ａに流入し、外側空気通路１２ａに沿って通流した後、最上端部の円環状の連通孔１２ｃから内側空気通路１２ｂに流入し、内側空気通路１２ｂに沿って通流した後、内鍋１の中心線Ｌ上に位置する流出口１６から燃焼室５内のガスバーナ４へと流入する。
その間、燃焼用空気Ａは、中鍋３によって加熱され、言い換えると、中鍋３からの熱を回収して予熱され、予熱された状態でガスバーナ４へ流入し、ガスバーナ４内において燃料ガスに混合されて燃料ガスの燃焼に供される。
【００２２】
そして、燃焼用空気通路１２を構成する外側空気通路１２ａの外側には、更に、中鍋３を空冷するための冷却用空気通路７が位置し、その冷却用空気通路７に沿って冷却用空気Ｂが通流するので、燃焼用空気Ａを介して調理室（調理者）側へ拡散しようとする熱の拡散は確実に抑制される。
そして、冷却用空気通路７を通流した冷却用空気Ｂは、排気用筒体６の外周部を覆う状態で排気用筒体６に沿って設けられた空気排気通路９を通流し、排気用筒体６内を通流する燃焼排ガスからの熱の拡散をも抑制することになる。
【００２３】
〔別実施形態〕
（１）本発明の別実施形態を図３に基づいて説明するが、先の実施形態で説明した構成については、同じ符号を付すことで説明を省略し、主として先の実施形態と異なる構成について説明する。
先の実施形態では、外側空気通路１２ａと内側空気通路１２ｂが、それら空気通路１２ａ、１２ｂの最上端部に設けられた円環状の連通孔１２ｃにより連通された構成を示したが、図３に示すように、仕切り板１４に多数の連通孔１２ｄを設け、それら連通孔１２ｄにより外側空気通路１２ａと内側空気通路１２ｂを連通させることもできる。
その場合、各連通孔１２ｄの断面積が、内鍋１の中心線Ｌに近いほど小に、中心線Ｌから遠ざかるほど大になるように設定することで、燃焼用空気Ａが、各連通孔１２ｄ内をほぼ満遍なく通過することになる。
【００２４】
（２）図１と図２に示した先の実施形態、および、図３に示した別実施形態において、外側空気通路１２ａ内に複数枚のガイド板を設け、内鍋１の中心線Ｌ上に位置する流入口１５から流入した燃焼用空気Ａが、外側空気通路１２ａに沿って円滑に通流するようにガイドすることも可能であり、同様に、内側空気通路１２ｂ内に複数枚のガイド板を設け、内側空気通路１２ｂ内を通流する燃焼用空気Ａが、内側空気通路１２ｂに沿って円滑に通流し、更に、内鍋１の中心線Ｌ上に位置する流出口１６からガスバーナ４に円滑に供給されるようにガイドすることもできる。
【００２５】
（３）これまでの実施形態では、調理容器を構成する内鍋１として業務用のフライヤーやゆで麺容器などを例示したが、本発明による加熱調理設備は、特に業務用に限るものではなく、一般家庭用の加熱調理設備にも適用することができる。
【符号の説明】
【００２６】
１        調理容器
１ａ      受熱用フィン
２        外側調理体
３        中間調理体
５        燃焼室
６        排気用筒体
７        冷却用空気通路
９        空気排気通路
１２      燃焼用空気通路
１２ａ    外側空気通路
１２ｂ    内側通気通路
１４      仕切り板
１５      流入口
１６      流出口
Ｌ        調理容器の中心線
Ａ        燃焼用空気
Ｂ        冷却用空気
【図１】
2015175547.tif 000003
【図２】
2015175547.tif 000004
【図３】
2015175547.tif 000005
【図４】
2015175547.tif 000006